(57)【要約】【課題】  所定の鍵による開錠時に自動的に所定の人に連絡をすることが可能な電子錠システムを提供する。【解決手段】  ＩＣカード１０をドア３００近傍のＩＣカード・リード/ライト部２９にかざすと、ＩＣカード１０の識別コードが読み込まれる。ドア開閉制御装置２０は、読み込まれた識別コードと、情報記憶部２５に格納されている開錠が許可される識別コードと照合し、一致すればドア３００を開錠する。ドア開閉制御部２０は、さらに、通信ネットワーク６０を介しメールサーバ４０にドア開閉制御部２０のアドレスおよび識別コード、メール送信アドレスを送り、メールサーバ４０は、受け取ったメール送信アドレスの携帯電話５０にドア３００が開錠されたことを通知する。【選択図】  図１
2009235824.tif 000002
【特許請求の範囲】
【請求項１】
ドアに取り付けられるとともに居住者のそれぞれが所有するＩＣカードキーにより施錠または開錠が行なわれる電子錠と、所定のＩＣカードキーによる前記電子錠の開錠時に、所定のアドレスにメールを送信するメール送信手段を有することを特徴とするＩＣカード式電子錠システム。
【請求項２】
前記所定のアドレスは、前記メール送信手段に記憶されていることを特徴とする請求項１記載のＩＣカード式電子錠システム。
【請求項３】
前記所定のアドレスは、前記ＩＣカードキーに記憶されていることを特徴とする請求項１記載のＩＣカード式電子錠システム。
【請求項４】
前記ＩＣカードキーは、近距離無線通信機能を有する携帯端末であることを特徴とする請求項１乃至請求項３のいずれかに記載のＩＣカード式電子錠システム。
【発明の詳細な説明】
【技術分野】
【０００１】
本発明は、メール送信機能を有する電子錠システムに関する。
【背景技術】
【０００２】
近年、共働きの家庭が増え、子供の帰宅時に親が不在の家庭が非常に多くなっている。親は子供がちゃんと家に帰宅したか否かを確認するために、電話等の通信手段を介して子供に問い合わせする必要がある。
一方、一人住まいの高齢者も増えており、病気等で家のなかで倒れていても誰にも気付かれず、中には孤独死を迎える高齢者もいる。
このような状況のなかで、お湯を沸かすポットに通信機能を持たせ、ポットの使用状況を遠方の家族等に電子メールで知らせるシステムなどが開発されている。
また、ＩＣカード化した学生証をかざすことにより、学校や塾等の登下校を家族に知らせるシステムもある（特許文献１）。
【特許文献１】特開２００６−２８５３２３号公報
【発明の開示】
【発明が解決しようとする課題】
【０００３】
子供の帰宅時間や高齢者の外出からの帰宅を確認する場合、帰宅を知らせるための連絡行動を子供や高齢者自身が取らなくても行なえるようにすることが望ましい。
【０００４】
本発明は、このような課題に鑑みてなされたもので、その目的とするところは、所定の鍵による開錠時に自動的に所定の人に連絡をすることが可能な電子錠システムを提供することである。
【課題を解決するための手段】
【０００５】
前述した課題を解決するための本発明は、ドアに取り付けられるとともに居住者のそれぞれが所有するＩＣカードキーにより施錠または開錠が行なわれる電子錠と、所定のＩＣカードキーによる前記電子錠の開錠時に、所定のアドレスにメールを送信するメール送信手段を有することを特徴とするＩＣカード式電子錠システムである。
前記所定のアドレスは、前記メール送信手段またはＩＣカードキーに記憶されているが望ましい。
前記ＩＣカードキーは、近距離無線通信機能を有する携帯端末であってもよい。
【０００６】
上記の構成により、ＩＣカードキーでドアの電子錠を開錠すると、子供や高齢者が所有する所定のＩＣカードキーの場合に、予めメール送信手段またはＩＣカードキー内に格納されているアドレスに対して、電子錠が開錠した、すなわち、子供や高齢者が帰宅した旨を知らせるメールを送信することが可能になる。
【発明の効果】
【０００７】
本発明によれば、所定の鍵による開錠時に自動的に所定の人に連絡をすることが可能になる。
【発明を実施するための最良の形態】
【０００８】
以下、図面に基づいて本発明の好適な実施形態について詳細に説明する。
図１は、本実施の形態のメール配信電子錠システム１のシステム構成を示す図である。
【０００９】
図１に示すように、メール配信電子錠システム１は、ＩＣカード１０と、ドア開閉制御装置２０、ドア開閉機構３０、メールサーバ４０、携帯電話５０、および、通信ネットワーク６０から成る。
ドア開閉制御装置２０は、ＩＣカード１０に格納されている識別コード等のデータを読み取り、ドア開閉機構３０を制御するとともに、インターネット等の通信ネットワーク６０を介して接続されているメールサーバ４０を介して携帯電話５０等の端末にメールを送信する。
ドア開閉機構３０は、ドア開閉制御装置２０に接続されており、ドア開閉制御装置２０による制御情報に従って、ドアの施錠の開閉を行なう。
【００１０】
図２は、電子錠を開閉するためのＩＣカード１０の説明図である。
図２（ａ）は、ＩＣカード１０の内部構成例を示す図である。
ＩＣカード１０内には、ドア開閉制御装置２０との通信を行うための電磁誘導用のアンテナ１３と、制御用ＩＣチップ１１が内蔵されている。
【００１１】
図２（ｂ）は、ＩＣカード１０内の制御用ＩＣチップ１１の構成図である。
同図に示すように、制御用ＩＣチップ１１は、例えば、ＣＰＵ（Ｃｅｎｔｒａｌ  Ｐｒｏｃｅｓｓｉｎｇ  Ｕｎｉｔ）１１１、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１３、送受信インタフェース１１５、情報記憶部１１７等がバス１１９で接続された構成である。
【００１２】
ＣＰＵ１１１は、ＲＯＭ１１２に格納されているプログラムをＲＡＭ１１３上のワークメモリ領域に呼び出して実行し、バス１１９を介して接続された各部分を駆動制御する。情報記憶部１１７は、例えばＲＡＭ等で構成され、ＩＣカード１０の識別コード等の情報を格納する。送受信インタフェース１１５は、ＣＰＵ１１１によるプログラムの実行により制御され、情報記憶部１１７に格納されている情報をＩＣカード１０のアンテナ１３を介して送信したり、アンテナ１３を介して外部から受信した情報を受け取る。
【００１３】
本実施の形態のＩＣカード式電子錠システム１では、図１、図２に示したように非接触型のＩＣカード１０をキーとして使用するように説明したが、ＩＣカード１０の代わりに、ＩＣカード１０と同様の非接触型の無線通信機能を有する携帯電話等の携帯端末をキーとして使用してもよい。
【００１４】
図３は、ドア開閉制御装置２０のハードウエア構成例を示す図である。
図３に示すように、ドア開閉制御装置２０は、ＣＰＵ２１、ＲＯＭ２２、ＲＡＭ２３、入出力インタフェース２４、情報記憶部２５、ドア開閉駆動部２６、通信インタフェース２７等がバス２８を介して接続された構成である。
【００１５】
ＣＰＵ２１は、ＲＯＭ２２に格納されているプログラムをＲＡＭ２３上のワークメモリ領域に呼び出して実行し、バス２８を介して接続された各部分を駆動制御する。
ＲＯＭ２２には、例えば、ＩＣカード１０の識別コードを識別するプログラムや、ドア開閉機構３０を制御するプログラム、開錠を通知するメールの送信を実行するプログラム等が格納される。
【００１６】
入出力インタフェース２４には、例えば、ＩＣカード・リード/ライト部２９が接続され、ＩＣカード・リード/ライト部２９にかざされたＩＣカード１０内からの情報の読み出しや書込みを制御する。
情報記憶部２５には、例えば、ドアの開錠が許可されるＩＣカード１０の識別コードや、メール送信先のアドレス等が格納される。
ドア開閉駆動部２６には、ドア開閉機構３０が接続されており、ドアの開錠が許可された場合に、ドア開閉機構３０を駆動する。
通信インタフェース２７は、インターネット等のネットワーク６０に接続されており、通信ネットワーク６０に接続されているメールサーバ４０との通信を制御する。例えば、ドアの開錠時に、メールサーバ４０に対して携帯電話５０等の携帯端末へのメール送信を依頼する処理を行う。
【００１７】
図４は、メールサーバ４０のハードウエア構成図である。
メールサーバ４０は、例えば、携帯電話５０の通信会社等に設置されたサーバであり、制御部４０１、記憶部４０２、メディア入出力部４０３、通信制御部４０４、入力部４０５、印刷部４０６、表示部４０７等がバス４０８を介して接続されて構成される。
【００１８】
制御部４０１は、ＣＰＵ、ＲＯＭ、ＲＡＭ等で構成される。
ＣＰＵは、記憶部４０２、ＲＯＭ、記録媒体等に格納されるプログラムをＲＡＭ上のワークメモリ領域に呼び出して実行し、バス４０８を介して接続された各装置を駆動制御し、例えば、携帯電話５０にドアが開錠されたことを通知するメールを送信する処理を実行する。
ＲＯＭは、コンピュータのブートプログラムやＢＩＯＳ等のプログラム、データ等を恒久的に保持し、ＲＡＭは、ロードしたプログラムやデータを一時的に保持するとともに、制御部４０１が各種処理を行なうために使用するワークエリアを備える。
【００１９】
記憶部４０２は、ＨＤＤ（ハードディスクドライブ）であり、制御部４０１が実行するプログラムや、プログラム実行に必要なデータ、ＯＳ（オペレーティング・システム）等が格納されている。これらのプログラムコードは、制御部４０１により必要に応じて読み出されてＲＡＭに移され、ＣＰＵに読み出されて各種の手段として実行される。
記憶部４０２には、例えば、開錠時の通知メール送信に必要なアドレス情報や、メールの内容等が予め格納される。
【００２０】
メディア入出力部４０３（ドライブ装置）は、例えば、フロッピー（登録商標）ディスクドライブ、ＰＤドライブ、ＣＤドライブ、ＤＶＤドライブ、ＭＯドライブ等のメディア入出力装置であり、データの入出力を行なう。
【００２１】
通信制御部４０４は、通信制御装置、通信ポート等を有し、通信ネットワーク６０との通信を媒介する通信インタフェースであり、通信制御を実行する。
【００２２】
入力部４０５は、例えば、キーボード、マウス等のポインティング・デバイス、テンキー等の入力装置であり、データの入力を行う。
印刷部４０６は、プリンタであり、印刷出力処理を行う。
表示部４０７は、液晶パネル、ＣＲＴモニタ等のディスプレイ装置と、ディスプレイ装置と連携して表示処理を実行するための論理回路（ビデオアダプタ等）で構成される。
【００２３】
ドア開錠の通知メールを所望するユーザは、携帯電話会社に登録し、開錠時の通知メール送信に必要なアドレス情報や、メールの内容等を予めメールサーバ４０の記憶部４０２に格納しておく。
ドア開閉制御装置３０から通信ネットワーク６０を介してメール送信が依頼されると、メールサーバ４０の制御部４０１は、予め記憶部４０２に登録されているメール内容を、携帯電話５０に送信する。
【００２４】
図５は、ドア開閉機構３０の構成図である。
ドア開閉機構３０は、ドア３００の一部に埋め込まれるようにして取り付けられている。すなわち、ドア開閉機構３０の正面には、ドアノブ３１が取り付けられており、ドア開閉機構３０の側面には、ドアノブ３１と連動した係止片３０と、ドア３００をロックするめのロック片３３が取り付けられている。
【００２５】
また、玄関のドア３００またはドア３００の近傍には、ＩＣカードキー１０と通信を行うためのＩＣカード・リード/ライト部２９が設置される。
図５には図示していないが、ＩＣカード・リード/ライト部２９は、玄関内等に設置されているドア開閉制御装置２０の入出力インタフェース２４に接続されている。
同図には図示されていないドア開閉制御装置２０のドア開閉駆動部２６は、例えば、ドア開閉機構３０の通電金具３７と開閉用配線３９を介して接続されており、開閉用配線３９を介して通電金具３７に通電することによりロック片３３を稼動し、開錠/施錠を行なう。
【００２６】
ドア３００が施錠されているときにＩＣカード・リード/ライト部２９にＩＣカードキー１０をかざすことにより、ＩＣカード・リード/ライト部２９は、ＩＣカードキー１０の情報記憶部１１７に格納されている識別コード等の情報を読み込む。
ドア開閉制御装置２０のＣＰＵ２１は、ＲＯＭ２２に格納されている識別コードの認証プログラムを実行し、読み込まれた識別コードが予めドア開閉制御装置２０の情報記憶部２５に登録されている識別コードと一致した場合に、ドア開閉駆動部２６を制御し、開閉用配線３９に信号を送り、ロック片３３を制御してドアを開錠する。
【００２７】
図６は、ＩＣカード１０の情報記憶部１１７およびドア開閉制御装置２０の情報記憶部２５の構成を示す図である。
【００２８】
図６（ａ）に示すように、例えば、ＩＣカード識別コード記憶部２５１とメール送信アドレス記憶部２５３からなる。
ＩＣカード識別コード記憶部２５１には、ドア３００の開閉を許可されるＩＣカード１０のＩＣカード識別コードが格納される。
また、メール送信アドレス記憶部２５３には、ドア３００が開錠された場合に開錠を通知する携帯電話５０等の携帯端末のメール・アドレスが格納される。例えば、識別コード１および識別コード２のＩＣカード１０について、メール送信アドレス１が格納されている場合、識別コード１のＩＣカード１０または識別コード２のＩＣカード１０でドア３００が開錠された際に、メール送信アドレス１の携帯電話５０に開錠を通知するメールが送信される。
【００２９】
一方、図６（ｂ）に示すように、ＩＣカード１０の情報記憶部１１７に、ＩＣカード識別コード１２１とともにメール送信アドレス１２３を格納するようにしてもよい。
この場合、ドア開閉制御装置２０内の情報記憶部２５には、ドア３００の開錠が許可されるＩＣカード１０の識別コードをＩＣカード識別コード記憶部２５１に記憶させる。
【００３０】
さらに、図６には示していないが、ＩＣカード１０の情報記憶部１１７にはＩＣカード識別コード１２１のみを格納し、ドア開閉制御装置２０の情報記憶部２５にはドアの開錠が許可されるＩＣカード１０の識別コードをＩＣカード識別コード記憶部２５１に記憶させるようにしてもよい。
この場合、開錠時に開錠を通知する宛先のメール送信アドレスは、メールサーバ４０の記憶部４０２に記憶しておけばよい。
【００３１】
図７は、メールサーバ４０の記憶部４０２に記憶される情報の構成を示す図である。
メールサーバ４０２には、例えば、ドア開閉制御装置２０のアドレスや、ＩＣカード１０の識別コード、メール送信アドレス、送信メールの文等が格納される。
【００３２】
識別コード１のＩＣカード１０がドア３００近傍にあるＩＣカード・リード/ライト部２９にかざされると、ＩＣカード・リード/ライト部２９はＩＣカード１０の情報記憶部１１７に記憶されている識別コードを読み込む。
ドア開閉制御装置２０のＣＰＵ２１は、読み込まれた識別コードと、ドア開閉制御装置２０にある情報記憶部２５のＩＣカード識別コード記憶部２５１に格納されている開錠を許可する識別コードとの照合を行い、照合が成功した場合には、ドア開閉駆動部２６を稼動して、開閉用配線３９に信号を送り、ロック片３３を解除してドア３００を開錠する。
さらに、ＣＰＵ２１は、開錠されたことを通知するためのメール送信を、通信ネットワーク６０を介してメールサーバ４０に依頼する。
【００３３】
このとき、図６（ａ）に示すように、ドア開閉制御装置２０にある情報記憶部２５のメール送信アドレス記憶部２５３に送信先のアドレスが格納してある場合には、かざされたＩＣカード１０の識別コードをキーにメール送信アドレス記憶部２５３を検索し、送信先のアドレスを取り出す。
例えば、ＩＣカード１０の識別コードが識別コード１であった場合には、メール送信アドレス１が選択される。
メール送信先のアドレスが図６（ａ）に示すようにドア開閉制御装置２０内の情報記憶部２５に格納されている場合には、メールサーバ４０の記憶部４０２にメール送信アドレスを必ずしも格納しておく必要はない。
ＣＰＵ２１は、ドア開閉制御装置２０自身のアドレスと、ＩＣカード１０の識別コード（識別コード１）、および、メール送信先のアドレス（メール送信アドレス１）を、通信ネットワーク６０を介してメールサーバ４０に送る。
【００３４】
メールサーバ４０は、ドア制御装置２０のアドレスおよびＩＣカード１０の識別コード、および、メール送信先のアドレスを受け取り、記憶部４０２に格納されているメール文を検索し、送信先のアドレス（メール送信アドレス１）にメールを送信する。
メール（「太郎君が帰宅しました。」）はメール送信アドレス１に対応する携帯電話５０に送信され、ドア３００が識別コード１のＩＣカード１０によって開錠されたことが通知される。
【００３５】
また、図６（ｂ）のように、ＩＣカード１０内の情報記憶部１１７にメール送信アドレス１２３が格納されている場合には、ＩＣカード１０がドア近傍のＩＣカード・リード/ライト部２９にかざされると、ＩＣカード・リード/ライト部２９は、ＩＣカード識別コード１２１とともに、メール送信アドレス１２３を読み込む。
このように、ＩＣカード１０内の情報記憶部１１７にメール送信アドレス１２３が格納されている場合も、メールサーバ４０の記憶部４０２にメール送信アドレスを必ずしも格納しておく必要はない。
【００３６】
ドア開閉制御装置２０のＣＰＵ２１は、まず、読み込まれたＩＣカード識別コード１２１と、情報記憶部２５のＩＣカード識別コード記憶部２５１に格納されている開錠を許可するＩＣカード識別コードを照合し、一致した場合には、ドア開閉駆動部２６を稼動してドア３００を開錠する。
次に、ＣＰＵ２１は、ドア開閉制御装置２０のアドレスと、ＩＣカード１０の識別コード、および、ＩＣカード１０から読み込んだメール送信アドレス１２３を、通信ネットワーク６０を介してメールサーバ４０に送る。
【００３７】
メールサーバ４０は、ドア制御装置２０のアドレスおよびＩＣカード１０の識別コード、および、メール送信先のアドレスを受け取り、記憶部４０２に格納されているメール文を検索し、送信先のアドレス（メール送信アドレス１）にメールを送信する。
メール（「太郎君が帰宅しました。」）はメール送信アドレス１に対応する携帯電話５０に送信され、ドア３００が識別コード１のＩＣカード１０によって開錠されたことが通知される。
【００３８】
一方、ＩＣカード１０およびドア開閉制御装置２０に開錠を通知するメール送信アドレスを格納しない場合には、メールサーバ４０の記憶部４０２に図７に示すように、ドア開閉制御装置２０のアドレス、ＩＣコード１０の識別コード、メール送信アドレス、メール文を予め格納しておく。
ドア開閉制御装置２０のＣＰＵ２１は、ＩＣカード１０がＩＣカード・リード/ライト部２９にかざされると、ＩＣカード１０の識別コードを読み込み、情報記憶部２５に格納されている開錠が許可されているＩＣカード識別コードとの照合を行い、一致した場合には、ドア開閉駆動部２６を駆動してドア３００を開錠する。
そして、ＣＰＵ２１は、ドア開閉制御装置２０のアドレスとともに、ＩＣカード１０の識別コードを通信ネットワーク６０を介してメールサーバ４０に送る。
【００３９】
メールサーバ４０は、ドア開閉制御装置２０のアドレスと識別コードを受け取り、記憶部４０２を検索し、開錠を通知するメール送信アドレスと、メール文を選択し、選択されたメール送信アドレスにメール文を送信する。
【００４０】
以上のように、本実施の形態のメール配信電子錠システム１により、所定の識別コードを持つＩＣカード１０によるドア３００の開錠時に、予め定めた所定のアドレスの携帯電話５０等の携帯端末に開錠を通知することが可能になる。これにより、子供等の帰宅を、電子メールによって遠隔にいても知ることが可能になる。
【００４１】
尚、本発明は、前述した実施の形態に限定されるものではなく、種々の改変が可能であり、それらも、本発明の技術範囲に含まれる。
【図面の簡単な説明】
【００４２】
【図１】本実施の形態のメール配信電子錠システム１の構成を示す図
【図２】ＩＣカード１０の構成を示す図
【図３】ドア開閉制御装置２０のハードウエア構成図
【図４】メールサーバ４０のハードウエア構成図
【図５】ドア開閉機構３０の説明図
【図６】情報記憶部１１７、２５の構成の説明図
【図７】メールサーバ４０の記憶部４０２の構成の説明図
【符号の説明】
【００４３】
１………メール配信電子錠システム
１０………ＩＣカード
２０………ドア開閉制御装置
２５、１１７………情報記憶部
２９………ＩＣカード・リード/ライト部
３０………ドア開閉機構
４０………メールサーバ
５０………携帯電話
６０………通信ネットワーク
【図１】
2009235824.tif 000003
【図２】
2009235824.tif 000004
【図３】
2009235824.tif 000005
【図４】
2009235824.tif 000006
【図５】
2009235824.tif 000007
【図６】
2009235824.tif 000008
【図７】
2009235824.tif 000009